(57)【要約】マスタと複数のスレーブ局より成るマルチキャスト無線データ通信システムは、再送信プロトコルを利用する。データ（１３）はマスタ局より送信され、スレーブ局により受信される。最も弱い無線リンクを有するスレーブ局が一次局に指定され、他の総てのスレーブ局は二次局に指定される。スレーブ局は否定認証を送信するが、一次局のみが肯定承認を送信する。肯定承認は別々のタイム・スロット（１，２，３，４）で送信されるが、二次局により送信される否定承認（９，１０）は、一次局により送信される肯定承認と重複する。これらの否定承認は、マスタ局による肯定承認の受領を破壊し、これによりデータが再送信されることが保証される。
2004502336.tif 000002
【特許請求の範囲】
【請求項１】
マスタ局および複数のスレーブ局より成るマルチキャスト無線システムであって、前記マスタ局は前記複数のスレーブ局にデータを同時に送信する手段を有し、各スレーブ局は、前記データを受信する手段と、前記データの再送信を要するか否かを判別する手段とを有し、少なくとも１つのスレーブ局が第１状態にあり、他の単数のスレーブ局または複数のスレーブ局が第２状態にあり、前記第１状態にある前記または各々のスレーブ局は、再送信が要求されないならば、所定のタイム・スロットにおいて、前記第１状態にある任意の他のスレーブ局により送信された肯定承認と実質的に重複しない肯定承認を送信し、前記第２状態にある前記または各々のスレーブ局は、再送信が要求されないならば認証を送信せず、再送信が要求されるならば否定承認を送信し、前記第２状態にある少なくとも１つのスレーブ局により送信された少なくとも１つの否定承認が、前記または少なくとも１つの所定のタイム・スロットと少なくとも部分的に同時に送信され、前記マスタ局は、前記第１状態にある前記または各々のスレーブ局から前記肯定承認を受信しない場合または少なくとも１つの否定認証を受信する場合であって前記データの有効性が満了していない場合に、前記データを再送信することを特徴とするマルチキャスト無線システム。
【請求項２】
前記第１状態にある前記または各々のスレーブ局による肯定認証の送信時間が、前記マスタ局により割り当てられることを特徴とする請求項１記載のシステム。
【請求項３】
前記複数のスレーブ局の少なくとも１つが、前記マスタ局により前記第１または第２状態に入るよう命令されることを特徴とする請求項１または２記載のシステム。
【請求項４】
前記マスタ局が、前記複数のスレーブ局の各々との無線通信の品質を評価する手段を有し、前記第１状態にある前記または各々のスレーブ局が、前記第２状態にある前記または各々のスレーブ局よりも低い品質の無線通信を前記マスタ局と行っていることを特徴とする請求項３記載のシステム。
【請求項５】
前記複数のスレーブ局の少なくとも１つが、前記マスタ局の命令に基づいてその送信電力レベルを調整する手段を有することを特徴とする請求項３または４記載のシステム。
【請求項６】
マスタ局と複数のスレーブ局を有するマルチキャスト無線ネットワークで使用されるマスタ無線局であって、前記マスタ局は、前記複数のスレーブ局の少なくとも１つが第１状態を選択するよう命令する手段であって、前記スレーブ局が、再送信することを要しないデータを受信したことに応答して肯定承認を送信するところの手段と、前記複数のスレーブ局の少なくとも他の１つが第２状態を選択するよう命令する手段であって、前記スレーブ局が、再送信を要しないデータを受信したことに応答して認証を送信せず、再送信を要するデータを受信したことに応答して否定承認を送信するところの手段と、１以上のスレーブ局により送信される肯定承認が実質的に重複しない時間で送信されるように、前記第１状態にある前記または各々のスレーブ局がタイム・スロット内で肯定承認を送信するよう命令する手段と、前記複数のスレーブ局にデータを同時に送信する手段と、前記複数のスレーブ局から承認を受信する手段と、前記第１状態にある各々のスレーブ局から前記肯定承認を受信しない場合または少なくとも１つの否定認証を受信する場合であって前記データの有効性が満了していない場合に、前記データを再送信する手段を有することを特徴とするマスタ無線局。
【請求項７】
前記複数のスレーブ局の各々との無線通信の品質を評価する手段と、前記第１状態にある前記または各々のスレーブ局との通信の品質が、前記第２状態にある前記または各々のスレーブ局との通信の品質よりも低くなるように、前記複数のスレーブ局の各々の状態を選択する手段を有することを特徴とする請求項６記載のマスタ無線局。
【請求項８】
更に、スレーブ局にその送信電力レベルを変更するよう命令する手段を有することを特徴とする請求項６または７記載のマスタ無線局。
【請求項９】
マスタ局と複数のスレーブ局を有するマルチキャスト無線ネットワークで使用されるスレーブ無線局であって、前記スレーブ局は、前記スレーブ局を第１状態におよび第２状態に設定する手段と、前記マスタ局からのデータを受信する手段と、前記スレーブ局が前記データの再送信を要求するか否かを判別する手段を有し、前記第１状態において、前記データの再送信を要求しない場合には、前記スレーブ局は、前記第１状態にある他のスレーブ局により送信された肯定承認と実質的に重複しない所定のタイム・スロットで肯定承認を送信し、前記第２状態において、前記スレーブ局は、前記データの再送信を要する場合に、肯定承認を送信せず否定承認を送信し、前記否定承認は、肯定承認の送信に対して予め定められた少なくとも１つのタイム・スロットと少なくとも部分的に同時に送信されることを特徴とするスレーブ無線局。
【請求項１０】
前記マスタ局からの命令に応答し、前記スレーブ局を前記第１および第２状態の一方に設定する手段を有することを特徴とする請求項９記載のスレーブ無線局。
【請求項１１】
肯定承認の送信のためのタイム・スロットが、前記マスタ局により割り当てられることを特徴とする請求項９または１０記載のスレーブ無線局。
【請求項１２】
前記マスタ局からの命令に応答し、その送信電力レベルを調整する手段を有することを特徴とする請求項９，１０または１１記載のスレーブ無線局。
【請求項１３】
請求項６ないし１２のいずれか１項に記載された無線局より成る集積回路。
【発明の詳細な説明】
【０００１】
［技術分野］
本発明は、マルチキャスト・データ通信用の無線システム、マルチキャスト無線ネットワークで使用するマスタおよびスレーブ局に関し、特に音響映像データ・ストリームの配信用途に関するが、他を排除するものではない。
【０００２】
［背景技術］
無線リンクにおけるディジタル情報の１点対１点通信において、ディジタル情報をデータ・パケットに分割し、送信プロトコル形式で誤り保護を行い、受信した各データ・パケットの各々について承認（ａｃｋｎｏｗｌｅｄｇｅｍｅｎｔ）を送信することが一般に行われている。データ・パケットが適切に受信された場合は、その承認は肯定的な承認（ＡＣＫ）であり、この場合、送信装置は次のデータ・パケットを送信するよう進行する。データ・パケットがエラーにより破壊されて受信された場合は、その承認は否定的な承認（ＮＡＣＫ： ｎｅｇａｔｉｖｅ ＡＣＫ）であり、この場合、送信装置はそのデータ・パケットを再送信するのが通常である。
【０００３】
マルチキャスト通信では、単独の無線局が存在し、これは一般にマスタ局と呼ばれ、一般にスレーブ局と呼ばれる１以上の受信局にデータを送信する。このような通信を行うことに関し、３つの基本的な方法がある。
【０００４】
第１には、ディジタル情報が総てのスレーブに同時に同報通信され、スレーブから何らの承認も送信されないとするものがある。これの欠点は、データ・パケットが破壊された場合に再送信が要求され得ないことである。この方法は、例えば、１９９１年１１月にＵＫ無線通信機関により公表されたＭＰＴ１３２７規格の第１７章のグループ・データ・コール機能に定められている。
【０００５】
第２には、ディジタル情報が各スレーブの各々に順に送信され、各スレーブは順に受領を承認するものがある。この方法は、１点対１点通信リンクとして言及される。これの欠点は、総てのスレーブに対して必要となる累積時間、またはデータ送信レートが増加して遅延をずらす（ｏｆｆｓｅｔ）場合または各リンクが異なる周波数で動作する場合にスペクトル要請が増加することである。
【０００６】
第３には、ディジタル情報を総てのスレーブに同時に同報通信し、 各スレーブは、その情報が受信されたか否かを順に質問されるものである。これの欠点は、総てのスレーブに質問するのに要する累積時間である。この方法も、例えば、１９９１年１１月にＵＫ無線通信機関により公表されたＭＰＴ１３２７規格の第１７章のグループ・データ・コール機能に定められている。
【０００７】
時間遅延は、音響映像ストリーム情報のような時間が重要なデータにとって特に問題である。音響映像データ・ストリームの送信を行うマルチキャスト無線通信の応用例は、無線拡声器（ｌｏｕｄｓｐｅａｋｅｒ）である。無線拡声器は、ケーブルの準備を削減する観点から好ましい。異なる無線拡声器に関して異なる情報を受信する要請があり、例えば、ステレオ対の左右の音響チャネルや、サラウンド音響製品におけるいくつかのチャネルである。
【０００８】
マスタ局から各無線拡声器への無線リンクは、１点対１点リンクの集合として同時に動作させることが可能である。これの欠点は、マスタが、１点対１点リンクよりも広い帯域を要し、複数の無線トランシーバを要することである。さらに音響符号化および圧縮、および場合によってはＭＰＥＧ共同ステレオ・モード（ＭＰＥＧ ｊｏｉｎｔ ｓｔｅｒｅｏ ｍｏｄｅ）で使用されるようなチャネルの共同符号化を利用する単独のマルチチャネル・ミックス（ｍｕｌｔｉｃｈａｎｎｅｌ ｍｉｘ）として、無線リンクにおける送信に先立って、異なる音響チャネルが一般に利用可能である。送信前に異なるチャネルを分離する煩雑さを回避し、異なる受信装置によって受信されるそのような個別のチャネルに同期する必要性を回避するため、異なるチャネルを単独のストリーム・マルチチャネル・ミックスとして送信するのが望ましい。
【０００９】
マルチキャスト・データ通信に関する１つの解決手段は、英国特許出願００１２４１０．７に開示され、各スレーブ局が、データ・パケットの承認の受領のための限定的な期間を有するものである。しかしながら、この解決手段では、認証に使用される時間によって、スレーブの最大数が限定されてしまうことである。
【００１０】
［発明の開示］
本発明の目的は、マルチキャスト無線通信における改善を提供することである。
【００１１】
本発明の１形態によれば、マスタ局および複数のスレーブ局より成るマルチキャスト無線システムであって、前記マスタ局は前記複数のスレーブ局にデータを同時に送信する手段を有し、各スレーブ局は、前記データを受信する手段と、前記データの再送信を要するか否かを判別する手段とを有し、少なくとも１つのスレーブ局が第１状態にあり、他の単数のスレーブ局または複数のスレーブ局が第２状態にあり、前記第１状態にある前記または各々のスレーブ局は、再送信が要求されないならば、所定のタイム・スロットにおいて、前記第１状態にある任意の他のスレーブ局により送信された肯定承認と実質的に重複しない肯定承認を送信し、前記第２状態にある前記または各々のスレーブ局は、再送信が要求されないならば認証を送信せず、再送信が要求されるならば否定承認を送信し、前記第２状態にある少なくとも１つのスレーブ局により送信された少なくとも１つの否定承認が、前記または少なくとも１つの所定のタイム・スロットと少なくとも部分的に同時に送信され、前記マスタ局は、前記第１状態にある前記または各々のスレーブ局から前記肯定承認を受信しない場合または少なくとも１つの否定認証を受信する場合であって前記データの有効性が満了していない場合に、前記データを再送信するマルチキャスト無線システムが提供される。
【００１２】
本発明によるマルチキャスト無線システムは、個々の認証に利用可能なタイム・スロット数より多くのスレーブ局をネットワーク内で動作可能にし、これは、いくつかのスレーブ局が肯定承認（ｐｏｓｉｔｉｖｅ ａｃｋｎｏｗｌｅｄｇｅｍｅｎｔ）の送信を中止することを許容し、データ・パケットの肯定確認（ｐｏｓｉｔｉｖｅ ｃｏｎｆｉｒｍａｔｉｏｎ）を提供するスレーブ局数を最大にすることによって行われる。
【００１３】
データ・パケットは、マスタ局から送信され、スレーブ局から受信される。データ・パケットがデコード可能またはデコード不可能であるかどうかに依存して、スレーブ局は、それを行うことが中止されないならば肯定承認をおよび否定承認を送信可能に形成される。デコード可能であることの定義は、システムに依存するが、例えば、データがエラーなしに受信される場合、エラーが生じているがチェック・ビットにより訂正される場合、およびエラーが訂正され得ないがそれにもかかわらず許容可能である場合を含み得る。逆に、エラーが訂正され得ず、許容されない劣化をデータに生じさせる場合には、データはデコード不可能である。
【００１４】
承認を利用する再送信プロトコルは、次のように動作する。データ・パケットの送信後に、スレーブ局が承認を送信するのに利用可能な期間が存在し、この期間は１つまたはそれ以上のタイム・スロットより成る。１つまたはそれ以上のスレーブ局は一次局（ｐｒｉｍａｒｙ ｓｔａｔｉｏｎ）に指定され、そのまたは各々の一次局は、再送信が要求されていないならば、肯定承認を送信する。そのまたは各々のタイム・スロットにおいて、１つの一次局のみが肯定承認を送信し、一次局の最大数がタイム・スロット数に等しくなるようにする。残りのスレーブ局は二次局に指定され、これらは肯定承認を送信しない。
【００１５】
一次局および二次局の両者は否定承認を送信する。二次局によって送信される否定承認は、１つまたはそれ以上の一次局から送信された１つまたはそれ以上の承認と、時間的に少なくとも部分的に重複する。
【００１６】
マスタ局が各一次局から肯定承認を受信し、否定承認を受信しなかった場合は、次のデータ・パケットを送信するよう進行する。マスタ局が任意のスレーブ局から否定承認を受信した場合、またはそのまたは各々の一次局から肯定承認を受信することに失敗した場合、および先に送信したデータがもはや有効でない場合は、そのマスタ局はデータ・パケットを再送信する。
【００１７】
上記の再送信プロトコルを利用して、承認の送信用に利用可能なタイム・スロット数より多くのスレーブ局がネットワーク内で動作可能になり、データ・パケットの受領の肯定確認を提供するスレーブ局数は最大になり得る。
【００１８】
他の認証と重複する二次局による否定承認の送信は、破壊を生じさせ、または破壊され、マスタ局からの良好な受信を妨害するが、この破壊に起因して、マスタ局が以前送信したデータ・パケットを再送信し、これは否定承認が受信された場合と同一の結果となる。
【００１９】
一次または二次としての各スレーブ局の指定は、柔軟性を提供しユーザの介在を回避するマスタ局の命令に基づいて行われる。さらに、一次局は、マスタ局によって行われる品質評価に基づいて、マスタ局と最低品質の無線通信を行うスレーブ局とすることが可能である。望まれる場合は、通信品質における区別（ｄｉｆｆｅｒｅｎｔｉａｌ）を保証するためにマスタ局の命令に基づいて、スレーブ局は送信電力レベルを調整する。このことは、肯定承認が二次局によって送信された否定承認を隠さない（マスクしない）ことを保証し、逆に、否定承認が任意の肯定承認の少なくとも１つを破壊することを保証する。
【００２０】
肯定承認を送信するタイム・スロットは、マスタによって一次局に割り当てられ、肯定承認が重複しない時間に送信されることを保証する。また、否定承認を送信する時間は、マスタにより二次局に割り当てられ、否定承認が一次局によって送信された肯定承認の時間と重複することを保証する。
【００２１】
過度の遅延は受信用途に関してデータを無効にしてしまうような、送信データが時間に敏感である実施例において、データの有効性が満了した場合にはデータの再送信は中止される。
【００２２】
本発明による第２の形態によれば、マスタ局と複数のスレーブ局を有するマルチキャスト無線ネットワークで使用されるマスタ無線局であって、前記マスタ局は、前記複数のスレーブ局の少なくとも１つが第１状態を選択するよう命令する手段であって、前記スレーブ局が、再送信することを要しないデータを受信したことに応答して肯定承認を送信するところの手段と、前記複数のスレーブ局の少なくとも他の１つが第２状態を選択するよう命令する手段であって、前記スレーブ局が、再送信を要しないデータを受信したことに応答して認証を送信せず、再送信を要するデータを受信したことに応答して否定承認を送信するところの手段と、１以上のスレーブ局により送信される肯定承認が実質的に重複しない時間で送信されるように、前記第１状態にある前記または各々のスレーブ局がタイム・スロット内で肯定承認を送信するよう命令する手段と、前記複数のスレーブ局にデータを同時に送信する手段と、前記複数のスレーブ局から承認を受信する手段と、前記第１状態にある各々のスレーブ局から前記肯定承認を受信しない場合または少なくとも１つの否定認証を受信する場合であって前記データの有効性が満了していない場合に、前記データを再送信する手段を有するマスタ無線局が提供される。
【００２３】
本発明による第３の形態によれば、マスタ局と複数のスレーブ局を有するマルチキャスト無線ネットワークで使用されるスレーブ無線局であって、前記スレーブ局は、前記スレーブ局を第１状態におよび第２状態に設定する手段と、前記マスタ局からのデータを受信する手段と、前記スレーブ局が前記データの再送信を要求するか否かを判別する手段を有し、前記第１状態において、前記データの再送信を要求しない場合には、前記スレーブ局は、前記第１状態にある他のスレーブ局により送信された肯定承認と実質的に重複しない所定のタイム・スロットで肯定承認を送信し、前記第２状態において、前記スレーブ局は、前記データの再送信を要する場合に、肯定承認を送信せず否定承認を送信し、前記否定承認は、肯定承認の送信に対して予め定められた少なくとも１つのタイム・スロットと少なくとも部分的に同時に送信されるスレーブ無線局が提供される。
【００２４】
望まれる場合には、マスタ局またはスレーブ局は集積回路で実現され得る。
【００２５】
添付図面を参照しながら実施例をもって本発明を説明する。
【００２６】
［発明の実施形態］
図１は、例えばセット・トップ・ボックスであるマスタ局４０と、例えば無線拡声器である第１、第２、第３、第４、第５および第６スレーブ局４１，４２，４３，４４，４５および４６より成る無線ネットワークを示す。マスタ局４０は、等時性（ｉｓｏｃｈｒｏｎｏｕｓ）のディジタル音響データ・ストリームをデータ・ソース４７から受信し、スレーブ局４１，４２，４３，４４，４５および４６に配信する。ディジタル音響データ・ストリームは、例えば、各無線拡声器に対する異なる音響のマルチチャネル・サラウンド音声ミックスである。
【００２７】
図２を参照するに、評価期間２０がある。評価期間の間に、マスタ局４０は、無線ネットワークにおける各スレーブ局４１，４２，４３，４４，４５および４６に関する無線リンクの品質を評価する。マスタ局４０はこれを行うために、評価命令２１を第１スレーブ局４１に送信し、第１スレーブ局が信号２２を送信するよう命令し、それに続いて、順に評価命令２３，２５，２７，２９，３１を他の５つのスレーブ局４２，４３，４４，４５および４６に送信し、他の５つのスレーブ局が順に信号２４，２６，２８，３０および３２を送信するよう命令する。マスタ局は、信号レベル測定および評価手段４８（図１に示される）を利用して、６つの信号２２，２４，２６，２８，３０および３２の各々を受信し、応答信号の受信レベルを測定し、どの信号が最低レベルであるか、すなわち最低品質の無線通信を提供するかを評価する。あるいは、通信品質の他の既存の測定方法も利用可能である。
【００２８】
スレーブ局がデータ・パケットの受領に関して認証を送信するのに利用可能な期間１１，１２（後述する図３に示される）は、この例の場合、４つの連続的な承認を収容するのに充分であり、マスタ局４０は、一次スレーブ局となるべき最低品質の通信を行う４つのスレーブ局を選択する。この実施例では、スレーブ局４１，４２，４３，４４が一次局になるために選択される。他のスレーブ局４５，４６は二次スレーブ局となるよう選択される。
【００２９】
評価期間に続いて、評価期間３３が存在し、この間にマスタ局４０は、各スレーブ局４１，４２，４３，４４，４５，４６に対して、各自の割当命令５１，５３，５５，５７，５９，６１を送信することによって、評価期間の間に選択されるように、一次または二次スレーブ局の何れかの状態を採択するよう命令する。各スレーブ局４１，４２，４３，４４，４５，４６は、それらの割当命令に応答して、承認５２，５４，５６，５８，６０，６２をそれぞれ送信する。一次スレーブ局および二次スレーブ局の相違は、一次スレーブ局だけが、デコード可能なデータ・パケットの受信に応答して肯定承認を送信し、一次および二次スレーブ局の両者はデコード不可能なデータ・パケットの受信に応答して否定承認を送信可能なことである。スレーブ局４１，４２，４３，４４に一次局になるよう命令することに加えて、以下に説明するように、割当メッセージ５１，５３，５５，５７が、承認の送信のためのタイム・スロットを割り当てる。
【００３０】
マスタ局４０は、スレーブ局に一次または二次スレーブ局になるように命令する割当命令内に、または別個の命令内に、送信電力レベルを指定されたレベルに、または一般に２０ｄＢまでである指定された量によって調整する命令を選択的に含むことが可能である。
【００３１】
割当期間に続いて、データ通信期間３４がある。これは、評価期間３３の直後に続き、またはデータ通信が直ちに必要とされないならば遅延３５が存在し得る。更なるデータ通信期間が、通信仕様によって決定されるように間欠的に生じ得る。
【００３２】
図３はデータ通信期間３４の詳細を示す。データはパケットで送信され、例えば２つのデータ・パケット１３，１４が図３に描かれている。データ・パケット１３の送信の後であって、スレーブ局による認証の送信のための次のパケット送信の前に、期間１１が存在する。認証期間１１は、本実施例では４つの連続的な認証を収容するのに充分であり、４つのタイム・スロット１６，１７，１８，１９に分割される。一次局４１，４２，４３，４４は、それらの肯定または否定承認１，２，３，４をスロット１６，１７，１８，１９でそれぞれ送信する。２次局４５，４６は、否定認証のみを送信し得るよう制限され、タイム・スロットの持続期間においてそれらの否定認証の送信を包含する必要はない。選択的に、データ・パケット１３がデコード不可能である場合に、二次局は否定認証を送信可能であり、これは、４つの一次局認証タイム・スロット１６，１７，１８，１９の総ての期間を占める。図３では、否定認証を送信するための二次局４５の可能な最大送信期間は参照番号９で参照され、否定認証を送信するための二次局４６の可能な最大送信期間は参照番号１０で参照される。
【００３３】
否定認証がマスタ局４０で受信されなかった場合であって、一次局４１，４２，４３，４４により送信される４つの認証１，２，３，４が肯定的であってマスタ局４０により受信された場合は、マスタ局４０により送信される次のデータ・パケット１４は、新たなデータである。マスタ局４０が否定認証を受信した場合、またはマスタ局４０が各一次局４１，４２，４３，４４から肯定認証を受信しない場合、マスタ局４０により送信される次のデータ・パケット１４は、以前に送信されたデータ・パケット１３の再送信であるが、これはデータの有効性が満了するまでである。
【００３４】
次のデータ・パケット１４の送信に続いて、一次局４１，４２，４３，４４が認証５，６，７，８をそれぞれ送信する期間であって、二次局４５，４６が否定認証を送信し得る期間の承認期間１２が存在する。
【００３５】
一次局がパケットの送信に起因して、以前に良好に受信したデータ・パケットを重複して受信すると、一次局は肯定承認を送信し、重複したデータ・パケットを破棄する。
【００３６】
一実施例にあっては、二次局によって送信される否定認証は、４つの一次局承認タイム・スロット１３，１４，１５，１６と実質的に重複する単独のメッセージより成り、または同じ期間にわたって伸びる連続した短期間のメッセージより成る。他の実施例にあっては、二次局によって送信される否定認証は、総ての一次局承認タイム・スロット１３，１４，１５，１６と重複しない。
【００３７】
一次局により送信される否定承認は、肯定承認の場合と同一のタイミングであることを要しないが、二次局否定認証に関する上述のタイミングの選択枝の１つに従うであろう。
【００３８】
本実施例では、再送信が要求される場合に、一次局は否定認証を送信するが、それらが否定認証を送信せずにマスタ局に再送信を行わせることも可能である。
【００３９】
二次局による否定認証の認証期間内の送信時間は、予めプログラム可能であり、またはマスタ局の命令に基づいて割り当てられることが可能である。
【００４０】
マスタ局４０の命令に基づくスレーブ局による送信電力調整は、次のものの折衷案であり、それらは、重複のない否定承認が送信される場合に、一次局により送信される肯定認証がマスタ局４０により良好に受信されるのを保証することと、重複した否定承認が送信される場合に、一次局により送信される肯定認証がマスタ局４０により良好にデコードされないのを保証することである。
【００４１】
６つのスレーブ局より成る無線ネットワークに関して実施例が説明され、それらのうち４つは４つのタイム・スロットで肯定承認を送信可能であったが、マルチキャスト・システムおよびその動作の実現用途に依存して、他の数のスレーブ局およびスロットを使用することも可能である。
【００４２】
少数の無線拡声器を利用する家庭的環境を網羅する無線ネットワークに関して実施例が説明されたが、本発明は、例えば都市の広さ又はより大きなシステムのような更に広範なネットワークおよび多数のスレーブ局にも適用可能である。
【００４３】
本発明は、送信ストリーム・データに対するシステムに関して説明されたが、非ストリーム・データにも適用可能である。
【００４４】
本願明細書および請求の範囲において、マスタ局またはスレーブ局として参照されるものは、一般的な通信の要請に従うマスタまたはスレーブとして機能し得る２重機能を有する局を排除するものではない。さらに、本願明細書および請求の範囲において、無線局は、無線通信機能を有し、データがそこへまたはそこから通信される装置に関連する機能も有する。マスタ無線局の例は、無線機能およびコンパクト・ディスクを再生する機能を有する家庭用コンパクト・ディスクである。スレーブ無線局の例は、無線機能および拡声器の機能を有する無線拡声器である。
【００４５】
本願原文明細書および請求の範囲において、要素に先行する語“ａ”または“ａｎ”はそのような要素が複数存在することを排除しない。さらに、“ｃｏｍｐｒｉｓｉｎｇ”なる語は、列挙されたもの以外の他の要素またはステップが存在することを排除しない。
【００４６】
本願の説明により、当業者にとって他の変形が明らかになるであろう。そのような変形は、マルチキャスト無線通信の技術分野で既に知られた他の特徴と、上述した特徴に代えてまたはそれに加えて使用される他の特徴を包含し得る。
【００４７】
［工業的用途］
無線システムにおけるマルチキャスト・データ通信における開発。
【図面の簡単な説明】
【図１】
図１は、マスタ局および６つのスレーブ局より成るシステムのブロック図である。
【図２】
図２は、システム動作の段階を示す図である。
【図３】
図３は、データ通信位相の間のメッセージ・フローを示す図である。
【図３】
2004502336.tif 000003
【国際公開パンフレット】
2004502336.tif 000004
2004502336.tif 000005
2004502336.tif 000006
2004502336.tif 000007
2004502336.tif 000008
2004502336.tif 000009
2004502336.tif 000010
2004502336.tif 000011
2004502336.tif 000012
2004502336.tif 000013
2004502336.tif 000014
2004502336.tif 000015
2004502336.tif 000016
2004502336.tif 000017
2004502336.tif 000018
2004502336.tif 000019
2004502336.tif 000020
2004502336.tif 000021
2004502336.tif 000022
【国際調査報告】
2004502336.tif 000023
2004502336.tif 000024
2004502336.tif 000025